(57)【要約】【課題】  道路標識および屋外広告などの各種屋外表示装置において、屋外表示装部自体の構造を特に変えることなしに、逆光状態における十分な視認性を確保することを目的とする。【解決手段】  道路標識板１への入射逆光（３ａ，３ｃ）を表示情報１ｂが記された表示面１ａに反射させるための凸面状反射鏡３を、表示面１ａの横方向に沿って延びる形で表示面１ａの前方上側部分、すなわち、道路標識板１の利用者が表示情報１ｂを視認する際の妨げとならない位置に設けた。【選択図】図２
2015190105.tif 000002
【特許請求の範囲】
【請求項１】
表示情報が記された表示面を持つ屋外表示装置の逆光防止機構において、
前記表示面の直前方エリアに相当する視認対象空間域の上下左右の外側部分に設けられて、当該表示面に、それへの逆光を反射して入射させるための反射鏡からなる、
ことを特徴とする屋外表示装置の逆光防止機構。
【請求項２】
前記反射鏡は、
前記表示面の横方向に沿って延びる形で設けられる、
ことを特徴とする請求項１記載の屋外表示装置の逆光防止機構。
【請求項３】
表示情報が記された表示面と、
請求項１または２記載の逆光防止機構と、を備えた、
ことを特徴とする屋外表示装置。
【請求項４】
前記表示面は、
前記表示情報としての道路標識を記した道路標識表示面であり、
前記反射鏡は、
前記表示面の前方上側に設けられている、
ことを特徴とする請求項３記載の屋外表示装置。
【請求項５】
表示情報が記された表示面を持つ屋外表示装置の逆光防止方法において、
前記表示面の直前方エリアに相当する視認対象空間域の上下左右の外側部分に反射鏡を設け、
前記反射鏡は、
前記表示面に、それへの逆光を反射して入射させる、
ことを特徴とする屋外表示装置の逆光防止方法。
【請求項６】
前記表示面は、
前記表示情報としての道路標識を記した道路標識表示面であり、
前記反射鏡は、
前記表示面の横方向に沿って延びる形でその前方上側に設けられる、
ことを特徴とする請求項５記載の屋外表示装置の逆光防止方法。
【発明の詳細な説明】
【技術分野】
【０００１】
本発明は、道路標識および屋外広告などの各種屋外表示装置（以下、必要に応じて「道路標識など」という。）の逆光防止機構，逆光防止機構を備えた屋外表示装置、および逆光防止方法に関する。
【０００２】
特に、道路標識などの表示面に対してその後方向からの自然光（逆光）を当該表示面に照射させるための光反射部を設け、既設の道路標識への後付けや、新設の道路標識への取付けなどが可能な逆光防止機構などに関する。
【０００３】
なお、道路標識には案内標識，警戒標識，規制標識，指示標識などの各種の道路標識が含まれる。
【０００４】
本明細書の「表示面の直前方エリアに相当する視認対象空間域」とは、道路標識などの表示面自体からその前方にわたっていわば筒状態様で設定される広義の視認対象空間域や、その中の表示情報視認の妨げとならない周辺部を捨象した狭義の視認対象空間域を包含する意である。
【０００５】
本明細書においては、道路標識などの表示面側の方を「前」とし、それとは反対の裏側（逆光の入射側）の方を「後」とする。すなわち、図２，図３(b)の左側が「前」で、右側が「後」となる。
【０００６】
また、道路標識などの表示面の上下左右の位置関係を、当該表示面をその前方正面からみたときの各位置とする。
【背景技術】
【０００７】
道路標識などの表示面に、その後方から、朝方，夕方などの低入射角のいわゆる逆光があたる状況では、当該逆光のために影部分となる当該表示面とその回りの逆光自体の明部分とのコントラストの差が大きくなる。
【０００８】
そのため、ドライバーなどが逆光下で道路標識などの表示面をみる場合に、当該表示面の内容を明確に視認できない状況となりやすい。
【０００９】
従来、道路標識に対する逆光防止としては、
(11)道路標識板の文字，記号（矢印）などの道路情報の部分またはそれ以外の部分に、表裏方向に貫通する多数の孔部を形成し、道路標識板への入射逆光をこの孔部経由で道路標識板の表側へと通過させる（下記特許文献１参照）、
(12)道路標識板を、それぞれ透光性部材からなる表面板部および裏面板部で構成して、表面板部の表側に、文字，記号（矢印）などの道路情報の形状にカットした光透過性の反射色シートを貼り付け、透光性裏面板部への入射逆光を透光性表面板部の反射色シートに照射する（下記特許文献２参照）、
(13)道路標識板の表側に鏡面反射層を形成してその上に、蓄光顔料含有の塗料と蓄光顔料含有なしの塗料とで文字，記号（矢印）などの道路情報を記した表示面を形成し、この表示面を照射するための紫外線光源などを設ける（下記特許文献３参照）、
などの新たな構造からなる道路標識板が提案されている。
【先行技術文献】
【特許文献】
【００１０】
【特許文献１】特開平７−２５９０２７号公報
【００１１】
【特許文献２】特開２０００−３２８５２３号公報
【００１２】
【特許文献３】特開２００６−２５１１５５号公報
【発明の概要】
【発明が解決しようとする課題】
【００１３】
逆光防止として提案済みのこれらの道路標識はいずれも、光通過用孔部，透光性部材や鏡面反射層・蓄光顔料表示面などの構成要素が新たに形成された道路標識板を用いるものである。
【００１４】
そして、これらの構成要素の光透過・光反射作用などにより道路標識板の道路情報表示面に、逆光や、別途設けた光源からの紫外線が積極的に入射するようにしている。
【００１５】
すなわち道路標識板自体の構造を、これまで全国的に広く使用されている既存の道路標識板とは違う形にすることにより、逆光状態における表示面道路情報をドライバーが視認しやすいものにしている。
【００１６】
この新構造の道路標識板はいずれも光通過用孔部，透光性部材や鏡面反射層・蓄光顔料表示面などを設けたものである。そのため、既存の道路標識板（例えばアルミ板の表面に反射シートを貼り付けた形の道路標識板）に比べて製造工程が増加する。
【００１７】
また、上記(12)，(13)の道路標識板では、それぞれの構成部材点数が既存の道路標識板のそれよりも多くなる。
【００１８】
このように従来の逆光防止の道路標識板は、
(21)その製造に手間がかかり、製造コストも高くなりやすい、
(22)そして何よりもこれまでに日本各地に設置済みの多くの道路標識板への逆光防止には何ら寄与しえない、
という問題点があった。
【００１９】
そこで本発明では、屋外表示装置（道路標識，屋外広告など）の道路標識板や広告表示部などの屋外表示部への入射逆光をいったん反射させてから表示面に照射すれば、屋外表示部自体の構造を特に変えることなしに、また表示面照射用の光源を新たに用意することもなしに、逆光状況下での表示面が明るくなりえる点に着目したものである。
【００２０】
本発明は、この表示面へのいわば逆光反射照射により当該表示面を明るくして、そこでの表示内容（道路情報や広告内容など）の十分な視認性を確保することを目的とする。
【課題を解決するための手段】
【００２１】
本発明は、以上の課題を次のようにして解決する。
（１）表示情報（例えば後述の道路情報１ｂ，広告情報４ｂ）が記された表示面（例えば後述の表示面１ａ，４ａ）を持つ屋外表示装置（例えば道路標識，屋外広告など）の逆光防止機構において、
前記表示面の直前方エリアに相当する視認対象空間域の上下左右の外側部分に設けられて、当該表示面に、それへの逆光を反射して入射させるための反射鏡（例えば後述の凸面状反射鏡３，５）からなる、
構成態様のものを用いる。
（２）上記（１）において、
前記反射鏡は、
前記表示面の横方向に沿って延びる形で設けられる、
構成態様のものを用いる。
（３）屋外表示装置において、
表示情報が記された表示面と、
上記（１），（２）の逆光防止機構と、を備えた、
構成態様のものを用いる。
（４）上記（３）において、
前記表示面は、
前記表示情報としての道路標識を記した道路標識表示面であり、
前記反射鏡は、
前記表示面の前方上側に設けられている、
構成態様のものを用いる。
（５）表示情報（例えば後述の道路情報１ｂ，広告情報４ｂ）が記された表示面（例えば後述の表示面１ａ，４ａ）を持つ屋外表示装置（例えば道路標識，屋外広告など）の逆光防止方法において、
前記表示面の直前方エリアに相当する視認対象空間域の上下左右の外側部分に反射鏡（例えば後述の凸面状反射鏡３，５）を設け、
前記反射鏡は、
前記表示面に、それへの逆光を反射して入射させる、
構成態様のものを用いる。
（６）上記（５）において、
前記表示面は、
前記表示情報としての道路標識を記した道路標識表示面であり、
前記反射鏡は、
前記表示面の横方向に沿って延びる形でその前方上側に設けられる、
構成態様のものを用いる。
【００２２】
本発明は、以上の構成からなる屋外表示装置の逆光防止装置，屋外表示装置および逆光防止方法を対象としている。
【発明の効果】
【００２３】
本発明は以上の課題解決手段により、屋外表示装置（道路標識，屋外広告など）の表示部自体の構造を特に変えることなしに、また表示面照射用の光源を新たに用意することもなしに、表示面を明るくして、そこでの表示内容（道路情報や広告情報など）の十分な視認性を確保することができる。
【図面の簡単な説明】
【００２４】
【図１】逆光防止機構を備えた道路標識の全体構成を示す説明図である。
【図２】図１の道路標識の道路標識板に対する本発明の凸面状反射鏡などの配設状態を示す説明図である。
【図３】逆光防止機構を備えた屋外広告を示す説明図であり、（ａ）は全体構成を示し、（ｂ）は広告表示部に対する本発明の凸面状反射鏡などの配設状態を示している。
【発明を実施するための形態】
【００２５】
図１〜図３により本発明の実施形態を説明する。
【００２６】
なお、本発明の「反射鏡」としては平面状や凸面状のもの、さらには凹面状のものが使用可能である。
ただ、以下の記載では、単なる説明の便宜上「凸面状反射鏡」を前提とする。
【００２７】
図１〜図３において、
１は厚さ２mmの耐食アルミ板に反射部を設けた平板形状で周知の道路標識板（表示板），
１ａは当該道路標識板の表側となる表示面，
１ｂは当該表示面に記された道路情報（道路方向情報，地名情報など），
２は道路標識板１を屋外の所定空間に固定保持するための周知の支柱，
３は表示面１ａの上側前方（広義の視認対象空間域の上側）に取り付けられて当該表示部に対する逆光を表示面１ａに照射するための横長でいわば蒲鉾型の凸面状反射鏡，
３ａは凸面状反射鏡３の上下方向の全範囲へ入射する逆光（大入射角光線），
３ｂは逆光３ａの反射光，
３ｃは凸面状反射鏡３の上下方向の全範囲へ入射する逆光（小入射角光線），
３ｄは逆光３ｃの反射光，
４はいわばボックス形状の広告表示部，
４ａは当該広告表示部の表側となる表示面，
４ｂは当該表示面に記された広告情報，
５は表示面４ａの上側前方（広義の視認対象空間域の上側）に取り付けられて、当該表示面に対し凸面状反射鏡３と同様の反射作用を呈する凸面状反射鏡，
５ａは凸面状反射鏡５の上下方向の全範囲へ入射する逆光（大入射角光線），
５ｃは凸面状反射鏡５の上下方向の全範囲へ入射する逆光（小入射角光線），
６は凸面状反射鏡３，５を道路標識板１，広告表示部４に固定するためのそれぞれ略Ｕ字状断面からなる左右一対のアルミ製，合成樹脂製などの支持部材，
をそれぞれ示している。
【００２８】
図２において、
Ｈ1は道路標識板１の縦方向長さ，
Ｗ1は道路標識板１の横方向長さ，
θ1は鉛直方向に対する道路標識板１の図示前かがみ状態の傾斜角度，
Ｈ2は凸面状反射鏡３の縦方向長さ，
Ｗ2は凸面状反射鏡３の横方向長さ，
Ｒは凸面状反射鏡３の鏡面曲率半径，
θ2は鉛直方向に対する凸面状反射鏡３の図示後かがみ状態の傾斜角度，
Ｌ1は逆光３ａ，３ｃそれぞれの上下方向の広がり（長さ），
θ3は逆光３ａの水平面に対する入射角度，
θ4は逆光３ｃの水平面に対する入射角度，
をそれぞれ示している。
【００２９】
ここで図１および図２における上記構成要素の数値の一例をあげれば、
・道路標識板１の大きさ，傾斜角度に関して〔Ｈ1：2650mm，Ｗ1：4000mm，θ1：3.5°〕
・蒲鉾型の凸面状反射鏡３の大きさ，鏡面曲率半径および傾斜角度に関して〔Ｈ2：314mm，Ｗ2：4000mm，Ｒ：1000mm，θ2：29.6°〕
・逆光３ａ，３ｃに関して〔Ｌ1：250mm，θ3：14°，θ4：12°〕
となる。
【００３０】
なお、これらの数値自体は一例にすぎない。
上記数値が、
・道路標識板１の設置環境，傾斜角度，大きさ
・凸面状反射鏡３と道路標識板１との位置関係，
・凸面状反射鏡３の傾斜角度，大きさ
などに応じて、相対的に変化するのは勿論である。
【００３１】
図３の広告表示部４の表示面４ａと凸面状反射鏡５および支持部材６などとの配置関係は図２のそれと同様である。もっとも表示面４ａが通常鉛直状態に設定されるので、凸面状反射鏡５の傾斜角度は、図２の道路標識板１の場合の角度θ2にθ1の分を補正した数値になる。
【００３２】
また、凸面状反射鏡５へ入射する逆光５ａ，５ｃの上下方向の広がり（長さ）も、逆光３ａ，３ｃにおけるＬ1にこの表示面４ａの鉛直配置に応じた分だけ補正した値となる。
【００３３】
ここで、逆光３ａ，３ｃ，５ａ，５ｃはそれぞれ、凸面状反射鏡３，５で反射してから表示面１ａ，４ａに入射し、道路情報１ｂや広告情報４ｂが記された当該表示面を明るく照らす。
【００３４】
すなわち逆光環境下においても、道路標識板１および広告表示部４それぞれの表示面１ａ，４ａと、当該表示面周りの明空間域とのコントラスト差を小さくしている。
【００３５】
このコントラスト差の減少により、ドライバーなどの利用者は、表示面１ａ，４ａに記されている道路情報１ｂや広告情報４ｂを十分に視認できる。
【００３６】
図示のように凸面状反射鏡３，５は、道路標識板１や広告表示部４の上端部と略同じ高さから上方へといたる部分に支持部材６を介して設置可能な形状（大きさ，重さ）からなっている。
【００３７】
そのため、ドライバーなどが道路情報１ｂや広告情報４ｂを視認する場合に、凸面状反射鏡３，５がその妨げとなることもない。
【００３８】
また、逆光反射部として凸面状反射鏡３，５を用いているので、その縦方向長さＨ2が例えば上述のように314mmといった短いサイズのものでも道路標識板１および広告表示部４の全体を照射できる。
【００３９】
凸面状反射鏡３，５を支持部材６に取り付ける際、また支持部材６を道路標識板１や広告表示部４に取り付ける際には、リベット止め，ビス止め，接着などの各種固定手段を用いる。
【００４０】
本発明が図示の実施形態に限定されないことは勿論であり例えば、
(31)凸面状反射鏡３，５に代えて平面状反射鏡，凹面状反射鏡を用いる、
(32)凸面状反射鏡３，５，平面状反射鏡や凹面状反射鏡を、
表示面１ａ，４ａの下側前方，左右横側前方の各空間域（広義の視認対象空間域の外側部分）や、
当該広義の視認対象空間域の中の表示情報視認の妨げとならない周辺部を捨象した形の、狭義の視認対象空間域の上下左右の外側部分に設ける、
(33)凸面状反射鏡３，５，平面状反射鏡や凹面状反射鏡を支柱２に取り付ける、
(34)道路標識板１，広告表示部４として、その表側の表示面１ａ，４ａや裏側の逆光入射面が曲面形状のものを用いる、
(35)左右一対の支持部材６に代えて、透光性状のもので横方向に連続した形状からなる透光性部材を用いる、
ようにしてもよい。
【符号の説明】
【００４１】
〔図１〜図３〕
１：道路標識板
１ａ：表示面
１ｂ：道路情報（道路方向情報，地名情報など）
２：支柱
３：蒲鉾型の凸面状反射鏡
３ａ：逆光（大入射角光線）
３ｂ：逆光３ａの反射光
３ｃ：逆光（低入射角光線）
３ｄ：逆光３ｃの反射光
４：広告表示部
４ａ：表示面
４ｂ：広告情報
５：蒲鉾型の凸面状反射鏡
５ａ：逆光（大入射角光線）
５ｃ：逆光（低入射角光線）
６：支持部材
【００４２】
〔図１，図２〕
Ｈ1：道路標識板１の縦方向長さ
Ｗ1：道路標識板１の横方向長さ
θ1：道路標識板１の傾斜角度
Ｈ2：凸面状反射鏡３の縦方向長さ
Ｗ2：凸面状反射鏡３の横方向長さ
Ｒ：凸面状反射鏡３の鏡面曲率半径
θ2：凸面状反射鏡３の傾斜角度
Ｌ1：逆光３ａ，３ｃそれぞれの上下方向の広がり（長さ）
θ3：逆光３ａの水平面に対する入射角度
θ4：逆光３ｃの水平面に対する入射角度
【図１】
2015190105.tif 000003
【図２】
2015190105.tif 000004
【図３】
2015190105.tif 000005